(57)【要約】【課題】映像出力接続部での接続や映像出力設定の誤りを視覚的に通知する映像出力装置を提供すること。【解決手段】映像信号の信号形式の設定値が記憶されている映像出力フォーマット記憶部１０６と、映像信号を外部へ出力する映像出力接続部１０４に映像表示装置１０２の接続部１２０が接続されているか否かを判別する接続状態判別部１１０と、接続状態判別部１１０で判別した接続状態は設定値に応じたフォーマットの映像信号が出力可能か否かを判定する整合性判定部１１１と、整合性判定部１１１での判定の結果を表示させる表示制御部１０７とを備え、映像出力装置とモニタ機器などの他の装置との間の接続に誤りがある場合であっても、不具合を示す表示をさせることができる。【選択図】図１
2007086471.tif 000002
【特許請求の範囲】
【請求項１】
映像信号の信号形式の設定値が記憶されている映像出力設定記憶手段と、前記映像信号を外部へ出力する接続部に他の装置の接続部が接続されているか否かを判別する接続状態判別手段と、前記接続状態判別手段で判別した接続状態は前記設定値に応じた信号形式の映像信号が出力可能か否かを判定する整合性判定手段と、前記整合性判定手段での判定の結果を表示させる表示制御手段とを備えたことを特徴とする映像出力装置。
【請求項２】
前記表示制御手段が出力する表示制御信号に応じて、前記映像信号を出力する映像出力手段をさらに備え、前記整合性判定手段での判定の結果が、前記設定値に応じた信号形式の映像信号が出力可能でない場合に、前記表示制御手段は、前記２つの接続部の接続状態と、前記映像出力設定記憶手段に記憶されている前記信号形式の設定値とのうち、少なくとも一方を示す映像情報を含む前記映像信号を、前記接続された２つの接続部に出力可能な前記信号形式で出力するよう前記映像出力手段を制御することを特徴とする請求項１に記載の映像出力装置。
【請求項３】
前記２つの接続部の接続状態を確認する入力が可能な入力手段をさらに備え、前記整合性判定手段での判定の結果が、前記設定値に応じた信号形式の映像信号が出力可能でなく、かつ前記入力手段に入力があった場合に、前記表示制御手段は前記接続状態を示す映像情報を含む前記映像信号を、前記接続された２つの接続部に出力可能な前記信号形式で出力するよう前記映像出力手段を制御することを特徴とする請求項１に記載の映像出力装置。
【請求項４】
前記整合性判定手段での判定の結果を表示する発光表示手段をさらに備え、前記整合性判定手段での判定の結果が、前記設定値に応じた信号形式の映像信号が出力可能でない場合に、前記表示制御手段は、前記接続された２つの接続部の接続状態を前記発光表示手段の発光状態で表示させることを特徴とする請求項１に記載の映像出力装置。
【請求項５】
映像信号を外部へ出力する複数の接続部へ前記映像信号を出力する映像出力手段と、前記接続部に接続することにより前記映像出力手段からの前記映像信号を表示する映像表示手段と、前記映像信号の信号形式の設定値が記憶されている映像出力設定記憶手段と、前記映像信号を外部へ出力する接続部に前記映像表示手段の接続部が接続されているか否かを判別する接続状態判別手段と、前記接続状態判別手段で判別した接続状態は前記設定値に応じた信号形式の映像信号が出力可能か否かを判定する整合性判定手段と、前記整合性判定手段での判定の結果を前記映像表示手段に表示させる表示制御手段とを備えたことを特徴とする機器接続確認システム。
【請求項６】
映像信号を外部へ出力する接続部に他の装置の接続部が接続されているか否かを判別するステップと、前記映像信号の信号形式の設定値が記憶されている映像出力設定記憶手段の前記設定値と前記判別するステップでの判別の結果とを用いて、前記２つの接続部の接続状態は前記設定値に応じた信号形式の映像信号が出力可能か否かを判定するステップと、前記判定の結果が出力可能でない場合に、前記２つの接続部の接続状態と前記記憶されている前記信号形式の前記設定値との少なくとも一方を示す映像情報を表示させるステップとを備えたことを特徴とする機器接続確認方法。
【請求項７】
請求項６に記載の機器接続確認方法の各ステップをコンピュータに実行させるための機器接続確認プログラム。
【発明の詳細な説明】
【技術分野】
【０００１】
本発明は、映像出力機器と映像表示機器との機器間接続確認を行う映像出力装置、機器接続確認システム、機器接続確認方法および機器接続確認プログラムに関する。
【背景技術】
【０００２】
デジタル放送やＤＶＤ（Ｄｉｇｉｔａｌ  Ｖｅｒｓａｔｉｌｅ  Ｄｉｓｋ）の普及に代表される映像コンテンツのデジタル化により、ＡＶ（Ａｕｄｉｏ  Ｖｉｓｕａｌ）機器で扱う映像の高精彩化が進んでいる。ＡＶ機器には、従来のコンポジット端子やＳ端子に加え、Ｄ端子が搭載されるようになり、１台のＡＶ機器に複数の映像出力端子が装備されるようになっている。
【０００３】
また、映像を扱う業務系ＡＶシステムでは、映画などの映像コンテンツをデジタル映像で送出する配信システムが普及しつつある。かかる配信システムは、映像コンテンツを配信する配信サーバとその映像コンテンツを受信するクライアント端末で構成され、クライアント端末としてＳＴＢ（Ｓｅｔ  Ｔｏｐ  Ｂｏｘ）を使用するケースがある。
【０００４】
ＳＴＢは、配信サーバから送られてきたデジタル映像を、コンポジット端子やＤ端子を介してＴＶ（Ｔｅｌｅｖｉｓｉｏｎ）などのモニタ機器へ送出する。既存の旧型ブラウン管ＴＶを使用する場合にはコンポジット端子を、ＰＤＰ（Ｐｌａｓｍａ  Ｄｉｓｐｌａｙ
Ｐａｎｅｌ）や液晶ＴＶを使用する場合にはＤ端子を使用するのが一般的である。
【０００５】
ＳＴＢなどの映像出力端末が送出する映像信号のフォーマットが、ＴＶと接続している出力端子が対応しているフォーマットと異なる場合、たとえば接続しているＴＶがＤ１フォーマットのみを表示可能なものであるにもかかわらず、コンポジット端子とＤ端子を有する映像出力端末において出力映像信号のフォーマットとしてコンポジットが設定されている場合などは、映像はＴＶに正しく表示されない。
【０００６】
上記ＳＴＢの例では多くの場合、出力映像信号のフォーマットをＳＴＢ側で設定し、設定したフォーマットをサポートする映像出力端子を介してＴＶと接続するという設置工事設定を行っている。映像信号のフォーマットの設定はＳＴＢ内の設定ファイルに記憶させておき、フォーマットの変更は設定ファイルを修正することで実施する。設定したフォーマットをサポートしていない出力端子への映像の出力は行わない仕様のＳＴＢでは、設定したフォーマットの信号を出力する映像出力端子でない映像出力端子へ誤ってＴＶを接続した場合には、ＴＶの表示は黒画面の状態となってしまい、正しい映像表示が得られない。
【０００７】
また、Ｄ端子は一つの端子でＤ１からＤ５まで複数のフォーマットに選択的に対応するものであるが、ＴＶがその表示能力としてＤ１、Ｄ２フォーマットのみに対応している場合には、ＳＴＢが例えばＤ４フォーマットで映像を出力する設定になっていると、Ｄ端子を介してＴＶと接続しているにも関わらずＴＶの画面は走査線が流れるような状態に乱れてしまい、やはり正しい映像表示は得られない。
【０００８】
このように、映像出力端末とＴＶ間の物理的な接続がされている状態であっても、機器の外観からは容易に確認できない内部の設定によっては異常な表示となるため、上記のように映像が正しく表示されない現象が現れた場合に、対処方法が容易に把握できず大変分かりづらい。
【０００９】
また、ＴＶの表示が黒画面である症状のときには、不具合の原因が映像出力端末とＴＶ間の物理的接続にあるのか、内部の設定にあるのかについて即座に判別できない。
【００１０】
従来、機器間の接続状態を検知し確認する装置として、ＣＲＴ（Ｃａｔｈｏｄｅ  Ｒａｙ  Ｔｕｂｅ）を有するＴＶなどのモニタ機器が、ＶＴＲ（ビデオテープレコーダ）やＬＤＰ（レーザディスクプレーヤ）といった映像出力機器との接続状況を、モニタ機器と映像出力機器との間でテスト信号を送受信することによって確認するものが知られている（例えば、特許文献１参照）。
【００１１】
特許文献１に記載されている従来の接続制御装置は、テスト信号を発生する発生手段を有するＶＴＲやＬＤＰを制御する制御手段と、発生手段により発生されるテスト信号を検出する検出手段と、テスト信号を検出した結果からＶＴＲやＬＤＰとの接続状態を判定する判定手段と、判定手段での判定結果を表示するＣＲＴなどの表示手段とを有するＴＶ受像機として構成される。
【００１２】
上記従来の接続制御装置によれば、たとえば、ＶＴＲとＴＶ受像機とが正しく接続されている場合には、ＶＴＲから発生されたテスト信号が検出手段によって検出され、一方、誤った接続がされている場合には、テスト信号は検出されない。判定手段は、テスト信号の検出結果に応じてＶＴＲとＴＶ受像機との接続の正誤を判定する。すなわち、判定手段は、テスト信号が検出された場合には接続は正しいと判定し、テスト信号が検出されなかった場合には接続は誤っていると判定する。
【００１３】
このように従来の接続制御装置を用いれば、接続確認のためのテスト信号を発生し、テスト信号の検出結果に応じて、接続の正誤を確認することができる。
【特許文献１】特開平７−２３６０９６号公報
【発明の開示】
【発明が解決しようとする課題】
【００１４】
しかしながら、上記のような従来の装置おいては、ＴＶ受像機などのモニタ機器にテスト信号の検出手段を、ＶＴＲなどの映像出力機器にテスト信号の発生手段を、それぞれ組み込む必要があるため、接続の確認はこれらテスト信号の発生手段およびテスト信号の検出手段をそれぞれ備えたごく限定された機器間でしか機能せず、汎用のＴＶ受像機などの既存のモニタ機器を使用するといった場合には適用できないという問題があった。
【００１５】
また、特許文献１に記載されている接続制御装置を用いて接続の判定結果をＴＶ受像機などのモニタ機器へＯＳＤ（Ｏｎ−Ｓｃｒｅｅｎ  Ｄｉｓｐｌａｙ）表示により表示させようとした場合、映像信号のフォーマットの設定値がモニタ機器の表示能力を超える場合など、出力する映像信号のフォーマットの設定によっては、モニタ機器に何も映し出されなかったり、走査線が流れるように画面が乱れ表示内容の判読が行えなくなり、正しい接続でないことを示すＯＳＤ表示も意味をなさず、障害の原因を通知できない場合があるという問題があった。
【００１６】
本発明は、従来の問題を解決するためになされたもので、映像出力機器が出力する映像信号のフォーマットの設定や接続の誤りによりモニタ機器に映像が正しく映らない状態であっても障害の原因を通知することができ、テスト信号発生手段やテスト信号検出手段のような特別の手段を要せず、簡易な構成によって障害の原因が容易に確認可能な、またモニタ機器を利用せずとも視覚的手段で障害の原因が容易に確認可能な、映像出力装置、機器接続確認システム、機器接続確認方法および機器接続プログラムを提供することを目的とする。
【課題を解決するための手段】
【００１７】
本発明の映像出力装置は、映像信号の信号形式の設定値が記憶されている映像出力設定記憶手段と、映像信号を外部へ出力する接続部に他の装置の接続部が接続されているか否かを判別する接続状態判別手段と、接続状態判別手段で判別した接続状態は設定値に応じた信号形式の映像信号が出力可能か否かを判定する整合性判定手段と、整合性判定手段での判定の結果を表示させる表示制御手段とを備えた構成を有する。
【００１８】
この構成により、映像出力装置とモニタ機器などの他の装置との間の接続に誤りがある場合であっても、不具合を示す表示をさせることができる。
【００１９】
また、本発明の映像出力装置は、表示制御手段が出力する表示制御信号に応じて、映像信号を出力する映像出力手段をさらに備え、整合性判定手段での判定の結果が、設定値に応じた信号形式の映像信号が出力可能でない場合に、表示制御手段は、２つの接続部の接続状態と、映像出力設定記憶手段に記憶されている信号形式の設定値とのうち、少なくとも一方を示す映像情報を含む映像信号を、接続された２つの接続部に出力可能な信号形式で出力するよう映像出力手段を制御する構成を有する。
【００２０】
この構成により、映像信号の信号形式の設定がモニタ機器などの他の装置の表示能力を超えており、映像出力装置とモニタ機器との間の接続に誤りがある場合であっても、モニタ機器の画面上に不具合を示す表示をさせることができる。
【００２１】
また、本発明の映像出力装置は、２つの接続部の接続状態を確認する入力が可能な入力手段をさらに備え、整合性判定手段での判定の結果が、設定値に応じた信号形式の映像信号が出力可能でなく、かつ入力手段に入力があった場合に、表示制御手段は接続状態を示す映像情報を含む映像信号を、接続された２つの接続部に出力可能な信号形式で出力するよう映像出力手段を制御する構成を有する。
【００２２】
この構成により、映像信号の信号形式の設定がモニタ機器などの他の装置の表示能力を超えており、映像出力装置とモニタ機器との間の接続に誤りがある場合であっても、入力操作に応じて不具合の内容を示す表示をさせることができる。
【００２３】
また、本発明の映像出力装置は、整合性判定手段での判定の結果を表示する発光表示手段をさらに備え、整合性判定手段での判定の結果が、設定値に応じた信号形式の映像信号が出力可能でない場合に、表示制御手段は、接続された２つの接続部の接続状態を発光表示手段の発光状態で表示させる構成を有する。
【００２４】
この構成により、映像出力装置とモニタ機器などの他の装置との間の接続に誤りがある場合であっても、不具合の内容を発光表示手段の発光状態により表示させることができる。
【００２５】
また、本発明の機器接続確認システムは、映像信号を外部へ出力する複数の接続部へ映像信号を出力する映像出力手段と、接続部に接続することにより映像出力手段からの映像信号を表示する映像表示手段と、映像信号の信号形式の設定値が記憶されている映像出力設定記憶手段と、映像信号を外部へ出力する接続部に映像表示手段の接続部が接続されているか否かを判別する接続状態判別手段と、接続状態判別手段で判別した接続状態は設定値に応じた信号形式の映像信号が出力可能か否かを判定する整合性判定手段と、整合性判定手段での判定の結果を映像表示手段に表示させる表示制御手段とを備えた構成を有する。
【００２６】
この構成により、機器間の接続に誤りがある場合であっても、不具合を示す表示をすることができる。
【００２７】
また、本発明の機器接続確認方法は、映像信号を外部へ出力する接続部に他の装置の接続部が接続されているか否かを判別するステップと、映像信号の信号形式の設定値が記憶されている映像出力設定記憶手段の設定値と判別するステップでの判別の結果とを用いて、２つの接続部の接続状態は設定値に応じた信号形式の映像信号が出力可能か否かを判定するステップと、判定の結果が出力可能でない場合に、２つの接続部の接続状態と記憶されている信号形式の設定値との少なくとも一方を示す映像情報を表示させるステップとを備えた構成を有する。
【００２８】
この構成により、映像出力装置とモニタ機器などの他の装置との間の接続に誤りがある場合であっても、不具合を示す表示をさせることができる。
【００２９】
また、本発明の機器接続確認プログラムは、映像信号を外部へ出力する接続部に他の装置の接続部が接続されているか否かを判別するステップと、映像信号の信号形式の設定値が記憶されている映像出力設定記憶手段の設定値と判別するステップでの判別の結果とを用いて、２つの接続部の接続状態は設定値に応じた信号形式の映像信号が出力可能か否かを判定するステップと、判定の結果が出力可能でない場合に、２つの接続部の接続状態と記憶されている信号形式の設定値との少なくとも一方を示す映像情報を表示させるステップとをコンピュータに実行させる構成を有している。
【００３０】
この構成により、映像出力装置とモニタ機器などの他の装置との間の接続に誤りがある場合であっても、不具合を示す表示をさせることができる。
【発明の効果】
【００３１】
本発明は、映像信号の信号形式の設定値が記憶されている映像出力設定記憶手段と、映像信号を外部へ出力する接続部に他の装置の接続部が接続されているか否かを判別する接続状態判別手段と、接続状態判別手段で判別した接続状態は設定値に応じた信号形式の映像信号が出力可能か否かを判定する整合性判定手段と、整合性判定手段での判定の結果を表示させる表示制御手段とを備えることにより、出力映像信号の設定と映像表示装置の接続との関係に人為的な誤りがあり、映像表示装置に映像が正しく映されない状態であっても、設定や接続に関わる誤りの原因を視覚的に認知しやすく通知させることができる。
【発明を実施するための最良の形態】
【００３２】
以下、本発明の実施の形態の機器接続確認システムについて図面を用いて説明する。
【００３３】
（第１の実施の形態）
図１は、本発明の第１の実施の形態における機器接続確認システムを示すブロック図である。
【００３４】
図１において、本実施の形態の機器接続確認システムは、映像信号の出力と機器間の接続確認とを行う映像出力装置１０１と、映像出力装置１０１の出力映像信号である映像信号ｂを画面上に表示するモニタ機器などの映像表示装置１０２と、図示しないＶＴＲなどに格納されている映像コンテンツの再生あるいは停止に関わる操作者による操作入力に応じ、映像出力装置１０１に対して再生・停止指示信号ｆを出力する入力装置１０３とから構成され、映像表示装置１０２と入力装置１０３は、映像出力装置１０１に対して外部から接続されている。
【００３５】
映像出力装置１０１は、映像コンテンツを再生して得られる映像信号ｂの信号形式であ
るフォーマット設定値ａが記憶されている映像出力設定記憶手段としての映像出力フォーマット記憶部１０６と、外部へ映像信号ｂを出力するＤ端子ソケットである映像出力接続部１０４と、同じく外部へ映像信号ｂを出力するコンポジット端子である映像出力接続部１０５と、映像出力接続部１０４および映像出力接続部１０５に対する映像表示装置１０２の接続の有無を検知しその判別結果ｃを出力する接続状態判別部１１０と、フォーマット設定値ａと判別結果ｃとに応じて、現在の接続状態の正誤の状態を判定し判定結果ｄを出力する整合性判定部１１１と、整合性判定部１１１の判定結果ｄをもとに、必要に応じて映像信号ｂのフォーマットの変更を指示する指示信号ｅを出力する映像出力モード変更部１１３と、指示信号ｅおよび入力装置１０３から入力される再生・停止指示信号ｆに応じて、映像信号ｂの表示制御を行う映像制御信号ｇやＯＳＤ表示の表示制御を行うＯＳＤ表示制御信号ｈを出力する表示制御部１０７と、表示制御部１０７から出力されるＯＳＤ制御信号ｈにより映像信号ｂに重畳するエラー表示信号ｊを発生するＯＳＤ表示部１１４と、表示制御部１０７から出力される映像制御信号ｇとエラー表示信号ｊにより映像信号ｂを生成する映像出力部１０８とから構成される。
【００３６】
映像出力フォーマット記憶部１０６には、例えば、本実施の形態では、Ｄ１、Ｄ２、Ｄ３、Ｄ４のうちいずれか１つのフォーマット設定値ａが記憶されておれば良く、例えば、映像出力接続部１０４、１０５に接続される映像表示装置１０２の表示能力に応じて予め設定される。
【００３７】
しかしながら、本発明は、これに限ることなく、Ｄ５以上であったり、ＨＤＭＩなどのＤ端子とは異なる端子に対応するような映像出力のフォーマットであってもよく、映像出力フォーマット記憶部１０６に記憶される設定値の種類は、映像出力装置の仕様に依存する。
【００３８】
また、本実施の形態では、フォーマット設定値ａがＤ１であるとき、映像出力部１０８から出力される映像信号ｂは、Ｄ１フォーマットとコンポジットの両方が出力されるように設定されている（以下、Ｄ１フォーマットとコンポジットの両方が出力される状態をＤ１モードと言う）。
【００３９】
映像表示装置１０２は、Ｄ端子接続のためのＤ端子プラグまたはコンポジット接続のためのピンからなる接続部１２０を備える。
【００４０】
接続部１２０は、映像出力装置１０１と映像表示装置１０２との間を接続するための独立した接続ケーブル等に設けられたものであっても、映像出力装置１０１から延長して設けられた接続コードであっても、また映像出力装置１０１に一体的に固定された構造であっても可能であり、映像出力装置１０１の映像出力接続部１０４または１０５に接続されて、映像出力装置１０１と映像表示装置１０２との間を接続する機能を有するものであれば特に構造は問わない。
【００４１】
図２は本実施の形態における機器接続確認の方法を説明するためのフロー図、図３は同実施の形態におけるＯＳＤ表示の例を示す図であって、図１、図２、および図３を参照しながら本実施の形態の映像出力装置の動作を説明する。
【００４２】
映像出力装置１０１の電源が投入されると（Ｓ３０１）、接続状態判別部１１０は、Ｄ端子ソケットである映像出力接続部１０４およびコンポジット端子である映像出力接続部１０５から、映像表示装置１０２の接続部１２０が装着された接続状態を取得する（Ｓ３０２）。
【００４３】
接続状態判別部１１０では、映像出力接続部１０４または映像出力接続部１２０との接
続状態は、つぎのようにして取得される。
【００４４】
Ｄ端子ソケットである映像出力接続部１０４は、映像表示装置１０２の接続部１２０の接続状態を検出するための図示しない検出用端子２本をそれぞれ有し、接続部１２０が映像出力接続部１０４へ装着されている場合には、検出用端子間は接続部１２０を介して短絡されており、接続部１２０が映像出力接続部１０４へ装着されてない場合には、検出用端子間は開放されている。検出用端子の短絡・開放状態は、映像出力接続部１０４内に設けられた回路により、短絡されている場合には接続状態を“Ｌ”で、また開放されている場合には接続状態を“Ｈ”で示す信号として取得される。
【００４５】
また、コンポジット端子である映像出力接続部１０５は、映像出力接続部１０４と比較して構造は少し機械的ではあるが、映像出力接続部１０４と同様に、接続部１２０が映像出力接続部１０５へ装着されている場合には接続状態を“Ｌ”で、装着されていない場合には接続状態を“Ｈ”で示す信号として取得される。
【００４６】
次に、Ｓ３０２で取得した接続状態に基いて、映像出力装置１０１と映像表示装置１０２との接続状態を判別する（Ｓ３０３）。
【００４７】
まず、映像出力接続部１０４の接続状態が“Ｌ”である場合、接続状態判別部１１０はＤ端子接続と判別し、判別結果ｃを整合性判定部１１１へ通知する（Ｓ３０３のＤ端子接続）。
【００４８】
整合性判定部１１１は、映像出力フォーマット記憶部１０６にあらかじめ記憶されている映像出力信号のフォーマット設定値ａを読み出す。映像出力フォーマット記憶部１０６には、Ｄ１、Ｄ２、Ｄ３、Ｄ４のうちいずれか１つのフォーマット設定値ａが記憶されているので、整合性判定部１１１は、表示制御部１０７に対して、フォーマット設定値ａにしたがって映像出力をする指示をするための判定結果ｄを出力する（Ｓ３０５）。
【００４９】
すなわち、本実施の形態では、接続状態判別部１１０でＤ端子接続であると判別した場合は、整合性判定部１１１は、映像出力フォーマット記憶部１０６に予め設定されたフォーマット設定値ａで映像出力信号ｂを出力する判定結果ｄを出力する。
【００５０】
判定結果ｄを受けて、表示制御部１０７は、フォーマット設定値ａが示すフォーマットで映像信号ｂを出力する指示をする映像制御信号ｇを映像出力部１０８へ出力する。映像出力部１０８から、フォーマット設定値ａに１対１に対応したＤ１、Ｄ２、Ｄ３、Ｄ４のいずれかのフォーマットの映像信号ｂが映像出力接続部１０４へ出力される。
【００５１】
したがって、映像表示装置１０２には映像表示装置１０２の表示能力内の映像信号ｂは正しく表示され、表示能力を超える映像信号ｂは乱れた映像として表示され、これによって、映像出力接続部１０４と接続部１２０とのＤ端子接続が、フォーマットの整合性がとれた正しい接続か、フォーマットの整合性のとれていない誤った接続かが認識できる。
【００５２】
すなわち、Ｄ端子を有する一般の映像表示装置はフォーマットＤ１で表示が可能とされているので、フォーマット設定値ａが示すフォーマットがＤ１の場合は、映像表示装置１０２の表示能力内のフォーマットがＤ１〜Ｄ４のいずれであっても表示でき、フォーマットの整合性のとれた接続と認識できるが、フォーマット設定値ａが示すフォーマットがＤ２の場合は、映像表示装置１０２の表示能力内のフォーマットがＤ１のみであれば、未接続のような黒い画面にはならず、乱れた表示となり、フォーマットの整合性のとれていない誤った接続と認識できる。
【００５３】
先に説明したように、フォーマット設定値ａがＤ１のときには、コンポジット信号をも出力する指示を判定結果ｄは含んでいるので、映像出力部１０８から映像端子１０５へコンポジット信号も出力されるが、この場合、映像出力接続部１０５には接続がないため、コンポジット信号は使用されない。
【００５４】
つぎに、映像出力接続部１０４の接続状態が“Ｈ”であって、かつ映像出力接続部１０５の接続状態が“Ｌ”である場合、接続状態判別部１１０はコンポジット接続と判別し、判別結果ｃを整合性判定部１１１へ通知する（Ｓ３０３のコンポジット接続）。整合性判定部１１１は、映像出力フォーマット記憶部１０６にあらかじめ記憶されている映像出力信号のフォーマット設定値ａを読み出す。整合性判定部１１１は、判別結果ｃを読み出したフォーマット設定値ａと比較し、それらの整合性を判定する（Ｓ３０４）。
【００５５】
フォーマット設定値ａがＤ１のときには判定結果ｄをＤ１とし（Ｓ３０４のＤ１）、Ｄ１を表す信号によって表示制御部１０７は、Ｄ１モードで映像信号ｂを出力する指示をする映像制御信号ｇを映像出力部１０８へ出力する（Ｓ３０６）。
【００５６】
映像出力部１０８から、コンポジット信号が映像出力接続部１０５へ出力され、Ｄ１フォーマットの映像信号ｂが映像出力接続部１０４へ出力される。したがって、映像出力接続部１０５を介し映像表示装置１０２にはコンポジット信号の映像信号ｂが正しく表示される。この場合、映像出力接続部１０４には接続がないため、Ｄ１フォーマットの映像信号は使用されない。
【００５７】
また、ステップＳ３０４による整合性判定の結果、フォーマット設定値ａがＤ２、Ｄ３、Ｄ４のいずれかのときには判定結果ｄをＤ２以上とし（Ｓ３０４のＤ２以上）、Ｄ２以上を表す信号ｄによって映像出力モード変更部１１３は、Ｄ１モードに映像出力を設定変更する指示信号ｅを表示制御部１０７へ出力する。表示制御部１０７は指示信号ｅを受け、映像出力モードをＤ１モードに変更し（Ｓ３０７）、Ｄ１モードで映像信号ｂを出力する指示である映像制御信号ｇを映像出力部１０８へ出力すると共に、ＯＳＤ表示部１１４に対して、フォーマット設定値ａと映像表示装置１０２の接続状態とをＯＳＤ表示するようＯＳＤ表示部１１４へ指示するＯＳＤ制御信号ｈを出力する。
【００５８】
ＯＳＤ表示部１１４は、ＯＳＤ制御信号ｈを受けて、フォーマット設定値ａと映像表示装置１０２の接続状態とを含むエラー表示を指示するエラー表示信号ｊを映像出力部１０８へ出力する（Ｓ３０８）。
【００５９】
映像出力部１０８は、エラー表示信号ｊを受けてエラー表示信号ｊを映像信号ｂに重畳させ、エラー表示が重畳されたＤ１フォーマットおよびコンポジットの映像信号ｂを、それぞれ映像出力接続部１０４および映像出力接続部１０５から出力する。
【００６０】
映像表示装置１０２には、エラー表示を含むコンポジット信号である映像信号ｂが映像出力接続部１０５を介して表示される。
【００６１】
このようにして、フォーマット設定値ａがＤ１フォーマット以外の場合は、従来は何も表示されなかったのに対し、映像表示装置１０２にはエラー表示信号ｊによって、図３に例示する、出力映像フォーマットと接続状態を含むエラーを通知するＯＳＤ表示の画面が表示され、映像出力接続部１０５と接続部１２０とは誤った接続がなされたことを認識できる。
【００６２】
この場合、映像出力接続部１０４には接続がないため、Ｄ１フォーマットの映像信号は同様に使用されない。
【００６３】
以上のように、本発明の第１の実施の形態の映像出力装置は、出力映像信号の設定と映像表示装置１０２の接続との関係に人為的な誤りがあり、映像表示装置１０２に黒画面のような何も表示がなされないような場合においても、映像表示装置１０２の接続状態とフォーマット設定値ａの値に応じた、映像表示装置１０２が表示可能な適切な映像信号ｂの出力フォーマットを整合性判定部１１１が判定して、表示制御部１０７での制御によって映像出力部１０８が出力フォーマットを変更し、誤りがあることを映像表示装置１０２に表示させるという作用を有する。
【００６４】
（第２の実施の形態）
図４は、本発明の第２の実施の形態の映像出力装置を示すブロック図である。
【００６５】
図４において、第１の実施の形態の映像出力装置との構成上の差異は、本実施の形態の外部に設けられている入力装置１０３から、映像信号出力モード変更信号ｋが映像出力モード変更部１１５へ入力される点が追加されていることであり、他の構成は第１の実施の形態と同じである。
【００６６】
図５は、本実施の形態における機器接続確認方法を説明するための要部フロー図であって、図３、図４、および図５を参照しながら、本実施の形態の映像出力装置の動作を説明する。
【００６７】
本実施の形態では、本発明の第１の実施の形態と同じ動作がなされるとともに、入力装置１０３に設けられた映像出力モード変更ボタンの操作が行なわれると、図２のＳ３０２〜Ｓ３０８のうちどの状態であっても、入力装置１０３から映像信号出力モード変更信号ｋが映像信号出力モード変更部１１５に出力され、映像出力モード変更部１１５はこれを受信し（Ｓ５０１）、映像出力をＤ１モードに変更する指示信号ｅを表示制御部１０７へ出力する。
【００６８】
表示制御部１０７は、指示信号ｅを受け、映像出力モードをＤ１フォーマットとコンポジットで映像信号ｂを出力するＤ１モードに変更して設定する（Ｓ５０２）。その後、表示制御部１０７は、Ｄ１モードの映像信号ｂを出力する指示である映像制御信号ｇを映像出力部１０８へ出力する。
【００６９】
さらに、表示制御部１０７は、ＯＳＤ表示部１１４に対して、第１の実施の形態と同様に、フォーマット設定値ａと映像表示装置１０２の接続状態とをＯＳＤ表示するよう指示するＯＳＤ制御信号ｈを出力する。
【００７０】
ＯＳＤ表示部１１４は、ＯＳＤ制御信号ｈを受けて、フォーマット設定値ａと映像表示装置１０２の接続状態とを含むエラー表示を指示するエラー表示信号ｊを映像出力部１０８へ出力する（Ｓ５０３）。
【００７１】
以降は、第１の実施の形態と同様に、映像出力部１０８は、エラー表示が重畳された映像信号ｂを映像出力端子１０４を介して映像表示装置１０２へ出力する。
【００７２】
第１の実施の形態で説明したように、Ｄ端子を有する映像表示装置１０２は、通常、Ｄ１フォーマットの映像信号を正しく表示する能力を有しているので、映像表示装置１０２が映像出力接続部１０４に接続されている場合には、映像出力フォーマット記憶部１０６に記憶されたフォーマット設定値ａによらず、入力装置１０３に設けられた映像出力モード変更ボタンの操作によって、映像出力部１０８から出力される映像信号ｂをＤ１モード出力に変更し、映像表示装置１０２に図３に例示するエラーを通知する画面が表示できる
。
【００７３】
すなわち、フォーマット設定値ａが、例えばフォーマットＤ３の場合で、映像表示装置１０２の表示能力が、例えばフォーマットＤ２の場合であっても、第１の実施の形態であれば乱れた画像しか表示されないものが、本実施の形態によれば、入力装置１０３によるＤ１モードへの変更により、エラーを通知する画面が表示できて、エラー内容を容易に判断することができ、非常に使い勝手が良い。
【００７４】
以上のように、本発明の第２の実施の形態の映像出力装置は、映像表示装置１０２の表示能力を超えるフォーマット設定値ａが映像出力装置１０１に設定されているような人為的誤りがある場合においても、入力装置１０３の映像出力モード変更ボタン操作に応じて、映像信号ｂの出力フォーマットを映像表示装置１０２が表示可能なフォーマットに変更し、誤りの内容を映像表示装置１０２に表示ができるという作用を有する。
【００７５】
さらに、本実施の形態では、任意のタイミングで入力装置１０３の映像出力モード変更ボタンを操作することにより、映像出力装置１０１と映像表示装置１０２との接続状態が適切なものであるかどうかを確認することができる。
【００７６】
なお、上記各実施の形態では、フォーマット設定値ａがＤ１の場合に、Ｄ１フォーマットに加えてコンポジットの映像信号ｂを出力するようにしたが、他の組み合わせとすることも可能である。
【００７７】
また、上記各実施の形態では、映像出力接続部１０４または１０５が共に、Ｄ端子同士、あるいはコンポジット端子同士のように正常に接続された場合については、映像表示装置１０２に正常な画像あるいは乱れた画像のいずれかの画像が表示され、共に未接続の場合は映像表示装置１０２には何ら画面が表示されずに、これらの状態が一目瞭然に判別できるので、上記のような同じ端子同士が正常に接続された旨、あるいは両者未接続の旨の表示を行わなかったが、本発明は特にこれに限ることはない。
【００７８】
また、本発明は、上記各実施の形態のように、映像出力１０４はＤ端子ソケット、映像出力接続部１０５はコンポジット端子という対応関係に限定されず、映像出力接続部１０４と映像出力接続部１０５はともにＤ端子ソケットであって正しい出力が可能なフォーマットに相違のあるものや、映像出力接続部１０４が複数のＤ端子ソケットかつまたは映像出力接続部１０５が複数のコンポジット端子など他の組み合わせであっても同様に可能である。
【００７９】
また、ＯＳＤ表示は、上記各実施の形態に限ることなく、フォーマット設定値ａや映像表示装置１０２の接続状態の少なくとも一方を含まない表示としても、あるいは、フォーマット設定値ａおよび映像表示装置１０２の接続状態に加えて、映像表示装置１０２が接続されている映像出力接続部１０４または映像出力接続部１０５の端子を示す情報などを表示することも可能である。
【００８０】
（第３の実施の形態）
図６は、本発明の第３の実施の形態の映像出力装置を示すブロック図である。
【００８１】
図６において、第１の実施の形態の映像出力装置との構成上の差異は、接続状態を点滅で表示する発光表示手段としての発光ダイオードであるＬＥＤ１１２と、ＬＥＤ１１２の発光制御を行うＬＥＤ制御部１０９を有し、判定結果ｄがＬＥＤ制御部１０９へ入力される点と、第１の実施の形態における映像出力モード変更部１１３とＯＳＤ表示部１１４とを有せず、したがって、指示信号ｅ、ＯＳＤ制御信号ｈ、エラー表示信号ｊを用いない点
である。
【００８２】
したがって、本実施の形態では、第１の実施の形態の表示制御部１０７および映像出力部１０８の代わりに表示制御部１１６および映像出力部１１７をそれぞれ用いており、その他は第１の実施の形態と同じ構成である。
【００８３】
図７は、本実施の形態における機器接続確認方法を説明するためのフロー図であって、図６を参照しながら、本実施の形態の映像出力装置の動作を説明する。
【００８４】
映像出力装置１０１の電源が投入されると（Ｓ７０１）、接続状態判別部１１０は、第１の実施の形態と同様にして、映像出力接続部１０４および映像出力接続部１０５の接続状態を取得する（Ｓ７０２）。
【００８５】
接続状態とフォーマット設定値ａに応じた映像出力部１１７の動作は、第１の実施の形態と同じであり、以下にＬＥＤ表示に関わる動作を説明する。
【００８６】
なおフォーマット設定値ａは、第１の実施の形態と同様に、Ｄ１、Ｄ２、Ｄ３、Ｄ４のうちのいずれかである。
【００８７】
まず、映像出力接続部１０４の接続状態が“Ｌ”である場合、接続状態判別部１１０は映像出力接続部１０４はＤ端子接続と判別し、判別結果ｃを整合性判定部１１１へ通知する（Ｓ７０３のＤ端子接続）。
【００８８】
整合性判定部１１１は、ＬＥＤ制御部１０９へＤ端子接続正常を示す判定結果ｄを出力する。ＬＥＤ制御部１０９は判定結果ｄに応じたＬＥＤ１１２の発光制御を行い、ＬＥＤ１１２を例えば連続点灯状態によってＤ端子正常状態を表示する（Ｓ７０４）。
【００８９】
すなわち、この場合、映像出力装置１０１のＤ端子である映像出力接続部１０４と映像表示装置１０２のＤ端子である接続部１０２が正常に接続されたことを連続点灯により示している。
【００９０】
つぎに、Ｓ７０３で映像出力接続部１０４の接続状態が“Ｈ”であって、かつ映像出力接続部１０５の接続状態が“Ｌ”である場合、接続状態判別部１１０はコンポジット接続と判別し、判別結果ｃを整合性判定部１１１へ通知する（Ｓ７０３のコンポジット接続）。
【００９１】
整合性判定部１１１は、映像出力フォーマット記憶部１０６から読み出したフォーマット設定値ａの値と判別結果ｃに応じ、判定結果ｄを出力する。すなわち、フォーマット設定値ａがＤ１のとき、整合性判定部１１１は少なくともコンポジット信号を出力させるため判定結果ｄをＤ１とする（Ｓ７０５のＤ１）。
【００９２】
ＬＥＤ制御部１０９は判定結果ｄに応じたＬＥＤ１１２の発光制御を行い、ＬＥＤ１１２を例えば長い時間の点灯と短い時間の消灯を繰り返す点滅状態にしてコンポジット接続正常状態を表示する（Ｓ７０６）。
【００９３】
また、Ｓ７０５でフォーマット設定値ａがＤ２、Ｄ３、Ｄ４のいずれかのとき、整合性判定部１１１は判定結果ｄとしてＤ２以上とし（Ｓ７０５のＤ２以上）、ＬＥＤ制御部１０９は判定結果ｄに応じたＬＥＤ１１２の発光制御を行い、ＬＥＤ１１２を例えば速い点滅状態にして設定が不正である状態を表示する（Ｓ７０７）。
【００９４】
つぎに、Ｓ７０３で映像出力接続部１０４の接続状態が“Ｈ”でありかつ映像出力接続部１０５の接続状態が“Ｈ”である場合、接続状態判別部１１０は映像出力接続部１０４、映像出力接続部１０５のいずれにも接続がされていないと判別し（Ｓ７０３の未接続）、判別結果ｃを未接続とする。整合性判定部１１１はＬＥＤ制御部１０９へ未接続を示す判定結果ｄを出力する。
【００９５】
ＬＥＤ制御部１０９は判定結果ｄに応じたＬＥＤ１１２の発光制御を行い、ＬＥＤ１１２を例えばゆっくりした点滅状態にして未接続状態を表示する（Ｓ７０８）。
【００９６】
なお、ＬＥＤ１１２の表示方法は、一つのＬＥＤで判定結果ｄに応じた色によって表示することや、判定結果の数だけの個数のＬＥＤを用意し、判定結果ｄに対応した位置のＬＥＤを点灯する方法であっても可能である。
【００９７】
また、点滅周期や点灯時間の割合、表示するＬＥＤの色の組み合わせなどのような、点滅のさせ方、色の違いによって接続状態を表示することも同様に可能である。
【００９８】
また、Ｄ端子接続状態とコンポジット接続状態のいずれもが正常な接続状態の場合は、両状態のＬＥＤ表示状態は、正常接続状態という意味で同一であることは可能である。
【００９９】
また、発光表示手段はＬＥＤに限らず、白熱電球、液晶ディスプレイなど他の表示手段であっても可能である。
【０１００】
また、本実施の形態では、フォーマット設定値ａがＤ１の場合に、Ｄ１フォーマットに加えてコンポジットの映像信号ｂを出力するようにしたが、他の組み合わせにすることは、本発明の第１の実施の形態と同様に可能である。
【０１０１】
以上のように、本発明の第３の実施の形態の映像出力装置は、出力映像信号の設定と映像表示装置１０２の接続との関係に人為的な誤りがあり、映像表示装置１０２に黒画面のような何も表示がなされないような場合においても、整合性判定部１１１が、映像表示装置１０２の接続状態とフォーマット設定値ａの値に応じた、映像表示装置１０２が表示可能な適切な映像信号ｂの出力フォーマットを判定し、ＬＥＤ制御部１０９の発光を制御し、映像出力接続部１０４、１０５における接続不良や誤りの要因をＬＥＤ１１２に表示させるという作用を有する。
【０１０２】
なお、上記各実施の形態では、先にＤ端子接続かコンポジット接続かを判別したが、本発明はこれに限ることなく、先にフォーマット設定値ａの値を判別し、後にＤ端子接続の判別を行うようにしても、同様の効果が得られる。
【０１０３】
また、以上の各実施の形態の説明において、各々の動作の各ステップは、それぞれの実施の形態における装置の上で実行されるものとして説明したが、コンピュータ上で実行させることも可能である。
【産業上の利用可能性】
【０１０４】
以上のように本発明は、出力映像信号の設定と映像表示装置の接続との関係に人為的な誤りがあり、映像表示装置に映像が正しく映されない状態であっても、設定と接続の状態を表示させることができるので、設定や接続に関わる誤りの原因を視覚的に認知しやすく通知させることのできる機器間接続確認機能が得られ、映像出力装置、機器接続確認システム、機器接続確認方法および機器接続確認プログラムとして有用である。
【図面の簡単な説明】
【０１０５】
【図１】本発明の第１の実施の形態における機器接続確認システムのブロック図
【図２】本発明の第１の実施の形態における機器接続確認の方法を説明するためのフロー図
【図３】本発明の第１の実施の形態における映像表示の例を示す図
【図４】本発明の第２の実施の形態における映像出力装置のブロック図
【図５】本発明の第２の実施の形態における機器接続確認の方法を説明するのための要部フロー図
【図６】本発明の第３の実施の形態における映像出力装置のブロック図
【図７】本発明の第３の実施の形態における機器接続確認の方法を説明するためのフロー図
【符号の説明】
【０１０６】
１０１    映像出力装置
１０２    映像表示装置
１０３    入力装置
１０４，１０５    映像出力接続部
１０６    映像出力フォーマット記憶部
１０７，１１６    表示制御部
１０８，１１７    映像出力部
１０９    ＬＥＤ制御部
１１０    接続状態判別部
１１１    整合性判定部
１１２    ＬＥＤ
１１３，１１５    映像出力モード変更部
１１４    ＯＳＤ表示部
１２０    接続部
【図１】
2007086471.tif 000003
【図２】
2007086471.tif 000004
【図３】
2007086471.tif 000005
【図４】
2007086471.tif 000006
【図５】
2007086471.tif 000007
【図６】
2007086471.tif 000008
【図７】
2007086471.tif 000009